(57)【特許請求の範囲】
【請求項１】
被写体に放射線を照射する放射線源と、
前記被写体を透過した放射線を検出する検出手段と、
前記被写体の体厚情報を取得する体厚情報取得手段と、
前記体厚情報に基づいて、前記被写体における断層画像を取得する範囲を表す断層画像取得条件を設定する条件設定手段と、
前記断層画像取得条件に基づいて前記断層画像を取得する断層画像取得手段とを備えたことを特徴とする放射線撮影装置。
【請求項２】
前記放射線源から前記被写体に前記放射線を照射するプレショット撮影を行って、プレショット画像を取得する画像取得手段をさらに備え、
前記体厚情報取得手段は、前記プレショット撮影時の撮影条件に基づいて前記被写体の体厚情報を取得する手段であることを特徴とする請求項１記載の放射線撮影装置。
【請求項３】
前記プレショット撮影時の撮影条件は、該プレショット撮影時における撮影線量または該プレショット撮影時における前記放射線源の管電圧であることを特徴とする請求項２記載の放射線撮影装置。
【請求項４】
前記プレショット撮影時の撮影条件は、前記プレショット画像における画素値の分布範囲であることを特徴とする請求項２または３記載の放射線撮影装置。
【請求項５】
前記プレショット撮影後、前記断層画像の取得を行うか否かの指示を受け付ける操作手段をさらに備えたことを特徴とする請求項２から４のいずれか１項記載の放射線撮影装置。
【請求項６】
前記断層画像取得手段は、前記断層画像取得時における前記放射線源の前記プレショット撮影を行った位置での撮影をスキップし、前記プレショット画像を前記断層画像の取得に使用する手段であることを特徴とする請求項２から５のいずれか１項記載の放射線撮影装置。
【請求項７】
前記被写体の移動を検出する検出手段をさらに備え、
前記断層画像取得手段は、前記プレショット撮影時と前記断層画像の取得時とにおいて、前記被写体が所定値を超えて移動した場合には、前記断層画像の取得時に前記放射線源の前記プレショット撮影を行った位置での撮影を実行する手段であることを特徴とする請求項６記載の放射線撮影装置。
【請求項８】
前記断層画像取得手段は、前記放射線源および前記検出手段を同期移動させつつ、前記放射線を前記被写体に多重照射することにより前記断層画像を取得する手段であることを特徴とする請求項１から７のいずれか１項記載の放射線撮影装置。
【請求項９】
前記断層画像取得手段は、前記放射線源を前記検出手段に対して相対的に移動させ、前記放射線源の移動による複数の線源位置において前記被写体に前記放射線を照射することにより、前記複数の線源位置にそれぞれ対応する複数の撮影画像を取得し、該複数の撮影画像を再構成することにより前記被写体の断層画像を取得する手段であることを特徴とする請求項１から７のいずれか１項記載の放射線撮影装置。
【請求項１０】
前記体厚情報取得手段は、前記複数の撮影画像を解析することにより、前記被写体の体厚情報を取得する手段であることを特徴とする請求項９記載の放射線撮影装置。
【請求項１１】
前記体厚情報取得手段は、前記複数の撮影画像を再構成することにより、前記検出手段に直交する断層面における直交断層画像を再構成し、該直交断層画像における前記被写体の存在領域に基づいて、前記被写体の体厚情報を取得する手段であることを特徴とする請求項１０記載の放射線撮影装置。
【請求項１２】
前記体厚情報取得手段は、前記被写体の体厚を検出することにより、前記体厚情報を取得する手段であることを特徴とする請求項１から９のいずれか１項記載の放射線撮影装置。
【請求項１３】
複数の被写体についての過去の撮影条件を記憶する記憶手段をさらに備え、
前記条件設定手段は、前記記憶手段に記憶された撮影条件を参照し、撮影対象の被写体について過去の撮影条件が記憶されている場合には、前記過去の撮影条件に基づいて前記断層画像取得条件を設定する手段であることを特徴とする請求項１から１２のいずれか１項記載の放射線撮影装置。
【発明の詳細な説明】
【技術分野】
【０００１】
本発明は、断層画像を生成する撮影を行うための放射線撮影装置に関するものである。
【背景技術】
【０００２】
近年、Ｘ線撮影装置において、患部をより詳しく観察するために、Ｘ線管を移動させて異なる角度から被写体にＸ線を照射して撮影を行い、得た画像を加算して所望の断層面を強調した画像を得ることができるトモシンセシス撮影が提案されている。トモシンセシス撮影では、撮影装置の特性や必要な断層画像に応じて、Ｘ線管をＸ線検出器と平行に移動させたり、円や楕円の弧を描くように移動させて、異なる照射角で被写体を撮影した複数の撮影画像を取得して、これらの撮影画像を再構成して断層画像を生成する。このようなトモシンセシス撮影を用いた断層画像の生成においては、所望とする断層面以外の構造物をぼかして抑制することにより、所望とする断層面内の構造物を強調した断層画像を得ることができるため、構造物が重なって見にくい肺結節、および微細骨折等の画像の視認性を向上させることができる。
【０００３】
また、このようなトモシンセシス撮影を行う場合において、撮影前に低線量のＸ線を被写体に照射するプレショット撮影を行い、プレショット画像およびプレショット撮影時の撮影条件を用いて、トモシンセシス撮影を行う際のＸ線量を設定する手法が提案されている（特許文献１参照）。また、トモシンセシス撮影前に被写体の透過データを取得し、これに基づいて被写体の透過率を測定し、撮影時のＸ線管の管電圧を設定する手法が提案されている（特許文献２参照）。さらに、被検体の過去に撮影された撮影画像に基づいて、関心領域を設定する領域を決定し、これを実際に撮影された断層面を決定するためのスキャノグラムと対応させ、実際の撮影範囲である関心領域を決定し、撮影時に実際の関心領域の外部を通過する放射線を制限する手法も提案されている（特許文献３参照）。
【先行技術文献】
【特許文献】
【０００４】
【特許文献１】特開２００８−２３３２９号公報
【特許文献２】特開２００５−１４９７６２号公報
【特許文献３】特表２００３−２９９６４３号公報
【発明の概要】
【発明が解決しようとする課題】
【０００５】
しかしながら、特許文献１に記載された手法はプレショット画像を用いてトモシンセシス撮影時のＸ線量を、特許文献２に記載された手法はＸ線管の管電圧をそれぞれ設定しているに過ぎない。また、特許文献３に記載された手法は、関心領域を設定するために被写体の過去に撮影された撮影画像を参照する必要がある。
【０００６】
また、特許文献２に記載された手法は、トモシンセシス撮影の前に被写体の透過率を測定するために透過データを取得する必要があるため、被写体への余計な放射線の照射が必要となる。また、特許文献３に記載された手法も、関心領域を設定するためにスキャノグラムを取得する必要があるため、被写体への余計な放射線の照射が必要となる。
【０００７】
トモシンセシス装置において断層画像を生成する際には、Ｘ線を複数回被写体に照射する必要があるため、１回のＸ線の照射によりＸ線画像を取得する単純撮影と比較して、被写体の被曝量が大きくなる。このため、まず単純撮影を行うことにより取得した単純撮影画像を用いて診断を行い、例えば骨折が疑われるにも拘わらず、単純撮影画像では骨折が確認できない場合等、必要な場合にのみ断層画像を生成するという利用形態が考えられる。
【０００８】
本発明は上記事情に鑑みなされたものであり、断層画像取得時における断層画像の取得範囲を効率よく設定できるようにすることを目的とする。
【０００９】
また本発明は、断層画像取得時における断層画像の取得範囲を設定する際に、被写体への被曝量を増加させないようにすることを他の目的とする。
【課題を解決するための手段】
【００１０】
本発明による放射線撮影装置は、被写体に放射線を照射する放射線源と、
前記被写体を透過した放射線を検出する検出手段と、
前記被写体の体厚情報を取得する体厚情報取得手段と、
前記体厚情報に基づいて、前記被写体における断層画像を取得する範囲を表す断層画像取得条件を設定する条件設定手段と、
前記断層画像取得条件に基づいて前記断層画像を取得する断層画像取得手段とを備えたことを特徴とするものである。
【００１１】
「断層画像を取得する範囲」としては、具体的には、被写体の深さ方向（放射線が検出器に垂直に入射するように進む方向）における断層画像の再構成範囲、再構成範囲における断層面の中心面の位置、および深さ方向に直交する面内での放射線の照射範囲等の少なくとも１つを用いることができる。なお、再構成範囲および放射線の照射範囲により規定される３次元の領域が関心領域となる。「関心領域」とは、画像を用いた診断に際して、とくに関心度の高い領域であり、被写体内における断層画像を取得する対象となる領域である。
【００１２】
「再構成範囲」は、断層面の中心面の位置、断層面の最上面の位置、および断層面の最下面の位置の少なくとも１つを基準として設定することが可能である。
【００１３】
なお、本発明による放射線撮影装置においては、前記放射線源から前記被写体に前記放射線を照射するプレショット撮影を行って、プレショット画像を取得する画像取得手段をさらに備えるものとし、
前記体厚情報取得手段を、前記プレショット撮影時の撮影条件に基づいて前記被写体の体厚情報を取得する手段としてもよい。
【００１４】
「プレショット撮影」とは、断層画像を取得するための撮影の前に行うことが必要な撮影を意味し、具体的には、断層画像を取得するための撮影の撮影条件を決定するために必要な撮影の他、１回の撮影により取得した画像をのみを用いて診断を行うことが可能な、いわゆる単純撮影もプレショット撮影に含まれる。
【００１５】
「撮影条件」とは、撮影対象を設定するために使用する各種条件を意味し、プレショット撮影を行う前に設定する条件のみならず、実際の撮影により得られる条件を含む。撮影を行う前に設定する条件としては、放射線の管電圧および照射線量等が挙げられる。これらは、断層画像を取得するための撮影時における管電圧および照射線量等の撮影条件を設定するために用いられる。実際の撮影により得られる条件としては、プレショット画像における画素値の分布範囲、被写体を透過することなく検出手段に検出されることにより得られる、プレショット画像上の直接線部の露出量、自動露出制御を行った場合の露出時間等が挙げられる。
【００１６】
また、本発明による放射線撮影装置においては、前記プレショット撮影時の撮影条件を、該プレショット撮影時における撮影線量または該プレショット撮影時における前記放射線源の管電圧としてもよい。
【００１７】
また、本発明による放射線撮影装置においては、前記プレショット撮影時の撮影条件を、前記プレショット画像における画素値の分布範囲としてもよい。
【００１８】
また、本発明による放射線撮影装置においては、前記プレショット撮影後、前記断層画像の取得を選択的に行わせる操作手段をさらに備えるものとしてもよい。
【００１９】
また、本発明による放射線撮影装置においては、前記断層画像取得手段を、前記断層画像取得時における前記放射線源の前記プレショット撮影を行った位置での撮影をスキップし、前記プレショット画像を前記断層画像の取得に使用する手段としてもよい。
【００２０】
この場合、前記被写体の移動を検出する検出手段をさらに備えるものとし、
前記断層画像取得手段を、前記プレショット撮影時と前記断層画像の取得時とにおいて、前記被写体が所定値を超えて移動した場合には、前記断層画像の取得時に前記放射線源の前記プレショット撮影を行った位置での撮影を実行する手段としてもよい。
【００２１】
また、本発明による放射線撮影装置においては、前記断層画像取得手段を、前記放射線源および前記検出手段を同期移動させつつ、前記放射線を前記被写体に多重照射することにより前記断層画像を取得する手段としてもよい。
【００２２】
また、本発明による放射線撮影装置においては、前記断層画像取得手段を、前記放射線源を前記検出手段に対して相対的に移動させ、前記放射線源の移動による複数の線源位置において前記被写体に前記放射線を照射することにより、前記複数の線源位置にそれぞれ対応する複数の撮影画像を取得し、該複数の撮影画像を再構成することにより前記被写体の断層画像を取得する手段としてもよい。
【００２３】
この場合、前記体厚情報取得手段を、前記複数の撮影画像を解析することにより、前記被写体の体厚情報を取得する手段としてもよい。
【００２４】
また、この場合、前記体厚情報取得手段を、前記複数の断層画像を再構成することにより、前記検出手段に直交する断層面における直交断層画像を再構成し、該直交断層画像における前記被写体の存在領域に基づいて、前記被写体の体厚情報を取得する手段としてもよい。
【００２５】
また、本発明による放射線画像処理装置においては、前記体厚情報取得手段を、前記被写体の体厚を検出することにより、前記体厚情報を取得する手段としてもよい。
【００２６】
また、本発明による放射線撮影装置においては、複数の被写体についての過去の撮影条件を記憶する記憶手段をさらに備えるものとし、
前記条件設定手段を、前記記憶手段に記憶された撮影条件を参照し、撮影対象の被写体について過去の撮影条件が記憶されている場合には、前記過去の撮影条件に基づいて前記断層画像取得条件を設定する手段としてもよい。
【発明の効果】
【００２７】
本発明によれば、断層画像を取得するに際し、被写体の体厚情報を取得し、体厚情報に基づいて断層画像を取得する範囲を表す断層画像取得条件を設定し、設定した断層画像取得条件に基づいて断層画像を取得するようにしたものである。このため、被写体の体厚に応じた断層画像取得条件を効率よく設定でき、その結果、断層画像を効率よく取得することができる。
【００２８】
ここで、プレショット撮影は、断層画像を取得する際の撮影条件を設定するため、あるいはプレショット撮影が単純撮影の場合には、被写体の診断のために必要なものであることから、断層画像を取得する前に必ず行われるものである。このため、プレショット撮影後に断層画像を取得するに際し、プレショット撮影時の撮影条件に基づいて被写体の体厚情報を取得することにより、被写体へ余計な放射線を照射することなく、断層画像取得条件を設定することができる。
【００２９】
また、プレショット撮影後、断層画像の取得を選択的に行わせるようにすることにより、とくにプレショット撮影が単純撮影である場合において、プレショット画像のみを用いて診断を行うことが可能である場合に、断層画像の取得を行わないようにすることができ、これにより、被写体の被曝量を低減させることができる。
【００３０】
また、断層画像取得時における放射線源のプレショット撮影を行った位置での撮影をスキップし、プレショット画像をプレショット撮影を行った位置での撮影画像として使用することにより、断層画像を取得する場合の放射線源のプレショット撮影を行った位置における撮影を省略することができる。したがって、断層画像取得時における被写体の被曝量を低減することができる。
【００３１】
この場合、被写体の移動を検出し、プレショット撮影時と断層画像取得時とにおいて、被写体が所定値を超えて移動した場合には、断層画像取得時に、放射線源のプレショット撮影を行った位置での撮影を実行するようにすることにより、プレショット撮影を行った位置での撮影画像に含まれる被写体と、他の線源位置の撮影画像に含まれる被写体との位置ずれによって、断層画像の画質が低下してしまうことを防止できる。
【００３２】
また、複数の被写体についての過去の撮影条件を記憶する記憶手段に記憶された撮影条件を参照し、撮影対象の被写体について過去の撮影条件が記憶されている場合には、過去の撮影条件に基づいて断層画像取得条件を設定することにより、過去の撮影時と同一の撮影対象を設定して断層画像を取得することができるため、断層画像を用いた経過観察を精度よく行うことができる。
【図面の簡単な説明】
【００３３】
【図１】本発明の第１の実施形態による放射線撮影装置を適用したトモシンセシス撮影を行うためのＸ線撮影装置の概略図
【図２】トモシンセシス撮影を説明するための図
【図３】単純撮影およびトモシンセシス撮影時におけるＸ線管の位置を説明するための図
【図４】体厚と断層画像を再構成する断層面の中心面の位置および再構成範囲との関係を規定したテーブルを示す図
【図５】体厚に応じた再構成範囲を説明するための図
【図６】体厚と中心面および再構成範囲の補正値とを対応づけたテーブルを示す図
【図７】第１の実施形態において行われる処理を示すフローチャート
【図８】表示部に表示された単純画像の例を示す図
【図９】本発明の第２の実施形態による放射線撮影装置を適用したトモシンセシス撮影を行うためのＸ線撮影装置の概略図
【図１０】第２の実施形態における体厚情報の取得を説明するための図
【図１１】第２の実施形態における体厚情報の取得を説明するための図
【図１２】第２の実施形態において行われる処理を示すフローチャート
【図１３】本発明の第３の実施形態による放射線撮影装置を適用したトモシンセシス撮影を行うためのＸ線撮影装置の概略図
【図１４】第３の実施形態において行われる処理を示すフローチャート
【図１５】本発明の第４の実施形態による放射線撮影装置を適用したトモグラフィ撮影を行うためのＸ線撮影装置の概略図
【発明を実施するための形態】
【００３４】
以下、図面を参照して本発明の実施形態について説明する。図１は本発明の第１の実施形態による放射線撮影装置を適用したトモシンセシス撮影を行うためのＸ線撮影装置の概略図である。図１に示すように、第１の実施形態によるＸ線撮影装置１０は、Ｘ線管１２およびフラットパネルＸ線検出器（以下、単に検出器とする）１４を備える。Ｘ線管１２は移動機構１６により直線または円弧に沿って移動し、移動経路上の複数の位置において、撮影台天板４上の被写体２にＸ線を照射する。本実施形態においては直線に沿って矢印Ａ方向にＸ線管１２を移動させるものとする。なお、被写体２へのＸ線照射量は後述する条件設定部２８により、所定量となるように制御される。また、Ｘ線管１２にはコリメータ（照射野絞り）６が接続されており、被写体２に照射されるＸ線の範囲を操作者が設定できるようになっている。
【００３５】
検出器１４は、被写体２を透過したＸ線を検出するために、被写体２を載置する撮影台天板４を間に挟んでＸ線管１２と対向するように配置されている。検出器１４は、移動機構１８により必要に応じて直線または円弧に沿って移動し、移動経路上の複数の位置において被写体２を透過したＸ線を検出する。本実施形態においては直線に沿って矢印Ｂ方向に検出器１４を移動させるものとする。
【００３６】
また、Ｘ線撮影装置１０は第１の画像取得部２０を備える。第１の画像取得部２０は、Ｘ線管１２をその移動経路上における検出器１４の重心を通る垂線と直交する所定線源位置に固定し、所定線源位置から被写体２にＸ線を照射し、被写体２を透過したＸ線を検出器１４により検出し、Ｘ線管１２の所定線源位置における単純撮影画像を取得する単純撮影を行う。
【００３７】
また、Ｘ線撮影装置１０は、第２の画像取得部２１および再構成部２２を備える。第２の画像取得部２１は、Ｘ線管１２をその移動経路上を移動させて異なる角度から被写体２にＸ線を照射し、被写体２を透過したＸ線を検出器１４により検出して、移動中の複数の線源位置における複数の撮影画像を取得するトモシンセシス撮影を行う。再構成部２２は、第２の画像取得部２１が取得した複数のトモシンセシス用の撮影画像（以下、単に撮影画像とする）を再構成することにより、被写体２の所望の断面を示す断層画像を生成する。以下に、断層画像を再構成する方法を説明する。
【００３８】
図２に示すように、Ｘ線管１２をＳ１、Ｓ２、・・・、Ｓｎの各位置から異なる照射角で被写体２を撮影すると、それぞれ撮影画像Ｇ１、Ｇ２、・・・、Ｇｎが得られるものとする。そこで、例えば、線源の位置Ｓ１から、異なる深さに存在する対象物（Ｏ１、Ｏ２）を投影すると、撮影画像Ｇ１上にはＰ１１、Ｐ１２の位置に投影され、線源の位置Ｓ２から、対象物（Ｏ１、Ｏ２）を投影すると、撮影画像Ｇ２上にはＰ２１、Ｐ２２の位置に投影される。このように、繰り返し異なる線源位置Ｓ１、Ｓ２、・・・、Ｓｎから投影を行うと、各線源位置に対応して対象物Ｏ１は、Ｐ１１、Ｐ２１、・・・、Ｐｎ１の位置に投影され、対象物Ｏ２は、Ｐ１２、Ｐ２２、・・・、Ｐｎ２の位置に投影される。
【００３９】
対象物Ｏ１の存在する断面を強調したい場合には、撮影画像Ｇ２を（Ｐ２１−Ｐ１１）分移動させ、撮影画像Ｇ３を（Ｐ３１−Ｐ１１）分移動させ、・・・、撮影画像Ｇｎを（Ｐｎ１−Ｐ１１）分移動させた画像を加算することにより、対象物Ｏ１の深さにある断面上の構造物を強調した断層画像が作成される。また、対象物Ｏ２の存在する断面を強調したい場合には、撮影画像Ｇ２は（Ｐ２２−Ｐ１２）分移動させ、撮影画像Ｇ３を（Ｐ３２−Ｐ１２）分移動させ、・・・、撮影画像Ｇｎを（Ｐｎ２−Ｐ１２）分移動させて加算する。このようにして、必要とする断層の位置に応じて各撮影画像Ｇ１、Ｇ２、・・・、Ｇｎを位置合わせして加算することにより、所望の位置における断層画像を強調した画像を取得することができる。
【００４０】
なお、本実施形態においては、図３に示すように、検出器１４の重心を通る垂線とＸ線管１２の移動経路との交点を、第１の画像取得部２０が単純撮影を行う際にＸ線管１２を固定する所定線源位置Ｓｃとして用いる。ここで、第２の画像取得部２１がトモシンセシス撮影を行う場合には、複数の線源位置Ｓ１〜Ｓｎにおいて撮影を行うが、所定線源位置Ｓｃにおいては単純撮影画像が取得されているため、これを用いて断層画像を再構成することができる。したがって、本実施形態においては、トモシンセシス撮影を行う場合には、所定線源位置Ｓｃでの撮影をスキップし、所定線源位置Ｓｃの撮影画像として単純撮影画像を用いて断層画像を再構成するものとする。
【００４１】
しかしながら、単純撮影時とトモシンセシス撮影時とで被写体２が移動してしまうと、所定線源位置Ｓｃでの単純撮影画像を断層画像の再構成に使用した場合、単純撮影画像に含まれる被写体の位置と、複数の撮影画像に含まれる被写体の位置とがずれるため、断層画像を正確に再構成することができなくなってしまう。このため、本実施形態によるＸ線撮影装置１０は、被写体２の移動を検出する検出部８を備える。なお、検出部８は、超音波センサ、赤外線センサ等のセンサからなる。検出部８は、単純撮影時とトモシンセシス撮影時とにおける被写体２の移動を検出し、検出結果を第２の画像取得部２１に出力する。第２の画像取得部２１は、検出部８による検出結果に基づいて、所定線源位置Ｓｃにおいて取得した単純撮影画像を断層画像の再構成に使用するか否かを決定する。
【００４２】
具体的には、第２の画像取得部２１は、単純撮影時とトモシンセシス撮影時とにおいて被写体２が所定のしきい値以上移動したか否かを判定し、この判定が否定された場合には、所定線源位置Ｓｃにおいて取得した単純撮影画像を断層画像の再構成に使用するものとして、所定線源位置Ｓｃでの撮影をスキップする。逆にこの判定が肯定された場合には、被写体２が移動したものとして、所定線源位置Ｓｃにおいても撮影を行って撮影画像を取得する。
【００４３】
また、Ｘ線撮影装置１０は、操作部２４、表示部２５および記憶部２６を備える。操作部２４はキーボード、マウスあるいはタッチパネル方式の入力装置からなり、操作者によるＸ線撮影装置１０の操作を受け付ける。本実施形態においては、操作者が操作部２４から入力した情報に従って、Ｘ線撮影装置１０の各部が動作する。表示部２５は液晶モニタ等の表示装置であり、第１の画像取得部２０が取得した単純撮影画像および再構成部２２が再構成した断層画像の他、操作に必要なメッセージ等を表示する。記憶部２６は、Ｘ線撮影装置１０を動作させるために必要な各種パラメータおよびテーブル等を記憶している。
【００４４】
また、Ｘ線撮影装置１０は、体厚情報取得部２７および条件設定部２８を備える。体厚情報取得部２７は、被写体２の体厚を表す体厚情報を取得する。条件設定部２８は、単純撮影時およびトモシンセシス撮影時の撮影条件を設定するとともに、体厚情報取得部２７が取得した体厚情報に基づいて、被写体２において断層画像を生成する対象となる範囲を表す断層画像取得条件を設定する。まず、条件設定部２８は、単純撮影を行う際の、Ｘ線管１２の管電圧および被写体への照射線量を単純撮影の撮影条件として設定する。この設定は、操作者が入力した撮影部位に応じた管電圧および照射線量を撮影条件として設定するものであってもよく、操作者が直接入力した管電圧および照射線量を撮影条件として設定するものであってもよい。条件設定部２８は、設定した撮影条件を記憶部２６に記憶する。また、条件設定部２８は、単純撮影により取得した単純撮影画像の画素値の分布範囲、単純撮影画像における直接放射線が照射された部分の露出量（画素値から求められる）、および単純撮影時に自動露出制御を行った場合の露出時間等の少なくとも１つの情報を単純撮影の撮影条件として記憶部２６に記憶する。
【００４５】
ここで、本実施形態においては、まず単純撮影を行うことにより取得した単純画像を表示部２５に表示して診断を行い、例えば骨折が疑われるにも拘わらず、単純撮影画像では骨折が確認できない場合等、さらなる診断が必要な場合にのみトモシンセシス撮影を行う。このため、単純撮影後、操作者による指示が行われた場合に、体厚情報取得部２７は、記憶部２６に記憶された撮影条件に基づいて、被写体２の体厚情報を取得する。具体的には、単純撮影の照射線量、管電圧、および単純撮影画像の画素値の分布範囲等の少なくとも１つの情報から、被写体２の体厚情報を取得する。ここで、照射線量が大きい、管電圧が高い、あるいは画素値の分布範囲が大きい場合は体厚は大きく、照射線量が小さい、管電圧が低い、あるいは画素値の分布範囲が小さい場合は体厚は小さい。このため、条件設定部２８は、照射線量、管電圧あるいは画素値の分布範囲を所定のしきい値と比較し、被写体２の体厚が厚いか、標準か、薄いかを、照射線量、管電圧あるいは画素値の分布範囲が所定のしきい値よりも大きいか否かにより判定する。
【００４６】
そして、条件設定部２８は、体厚情報に基づいて、被写体２において断層画像を生成する対象となる範囲を表す断層画像取得条件を設定する。本実施形態においては、被写体２の深さ方向における断層面の中心面の位置および中心面の位置を基準とした断層画像の再構成範囲を断層画像取得条件として設定する。
【００４７】
このため、第１の実施形態においては、体厚と断層画像を再構成する断層面の中心面の位置および再構成範囲との関係を規定したテーブルが記憶部２６に記憶されている。図４は体厚と断層画像を再構成する断層面の中心面の位置および再構成範囲との関係を規定したテーブルを示す図である。図４に示すようにテーブルＴ１には、厚い体厚には、中心面の位置として１５ｃｍ、再構成範囲として２０ｃｍが、標準の体厚には、中心面の位置として１０ｃｍ、再構成範囲として１０ｃｍが、薄い体厚には、中心面の位置として５ｃｍ、再構成範囲の位置として５ｃｍがそれぞれ対応づけられている。なお、中心面の位置は撮影台天板４からの距離を示す。このため、図５に示すように体厚の厚い被写体２Ａ、標準の被写体２Ｂおよび体厚の薄い被写体２Ｃについて、それぞれ体厚に応じた中心面Ｘ０の位置および再構成範囲Ｒ０が設定される。
【００４８】
なお、テーブルとしては、図４に示すように中心面の位置および再構成範囲を規定するもののみならず、図６に示すテーブルＴ２のように、中心面の位置と体厚に応じた再構成範囲の補正量とを規定するものであってもよい。なお、再構成範囲の補正量は標準の体厚についてあらかじめ設定された再構成範囲の厚さを補正するものである。
【００４９】
また、条件設定部２８は、トモシンセシス撮影を行う際に被写体２に照射されるＸ線量が、単純撮影時の照射線量のＮ倍（線源位置数＝Ｎ）となるように、トモシンセシス撮影時の各線源位置における放射線量をトモシンセシス撮影の撮影条件として設定する。なお、トモシンセシス撮影の撮影条件については、操作者が操作部２４を用いて設定できるようにしてもよい。
【００５０】
また、条件設定部２８は、トモシンセシス撮影を行う際の断層角度をトモシンセシス撮影の撮影条件として設定する。断層角度とは、検出器１４の検出面、撮影台天板４の天板面、再構成範囲における検出器１４の検出面に最も近い面等の、断層画像を取得する範囲を定める基準面上の基準点から、Ｘ線管１２の移動範囲を定める２つの端部を臨む角度である。ここで、図３においては、撮影台天板４の天板面を基準面とし、天板面と検出器１４の重心を通る垂線との交点を基準点とした場合における断層角度をθにて示している。
【００５１】
また、Ｘ線撮影装置１０は関心領域設定部３０を備える。ここで、通常のトモシンセシス撮影を行う場合、操作者は、操作部２４を用いて、被写体２の深さ方向の範囲（例えば撮影台天板からの高さの範囲）を再構成範囲として設定し、深さ方向に直交する面内の範囲をＸ線照射範囲としてコリメータ６を用いて設定する。本実施形態においては、トモシンセシス撮影を行う場合の深さ方向の範囲、すなわち再構成範囲は、条件設定部２８が設定するため、本実施形態においては、操作者は深さ方向に直交する面内の範囲、すなわちＸ線照射範囲のみを設定するものとする。なお、コリメータ６を用いてＸ線照射範囲を設定する際には、Ｘ線に代えて可視光がコリメータ６を介して被写体２に照射される。これにより、操作者は被写体２に照射された可視光の範囲をコリメータ６を用いて調整すれば、Ｘ線の照射範囲を設定することができる。関心領域設定部３０は、条件設定部２８が設定した被写体２の再構成範囲および操作者がコリメータ６を用いて設定したＸ線照射範囲に基づいて、３次元状の関心領域を設定する。
【００５２】
また、Ｘ線撮影装置１０は、Ｘ線撮影装置１０をネットワーク経由で外部のサーバ４０と接続するための通信インターフェース（Ｉ／Ｆ）３２を備える。ここで、外部のサーバ４０には、複数の被写体について過去に撮影を行うことにより取得した、単純撮影画像および断層画像が送信されて保存される。また、トモシンセシス撮影を行った際の中心面の位置、再構成範囲、Ｘ線の照射範囲および断層角度の情報が参照情報としてサーバ４０に送信される。サーバ４０は、単純画像および断層画像、参照情報、並びに被写体を特定する被写体ＩＤを対応づけて保存する。
【００５３】
さらに、Ｘ線撮影装置１０は、Ｘ線撮影装置１０の各部を制御するための制御部３４を備える。制御部３４は、操作部２４からの指示に応じてＸ線撮影装置１０の各部を制御する。
【００５４】
次いで第１の実施形態において行われる処理について説明する。図７は第１の実施形態において行われる処理を示すフローチャートである。なお、第１の実施形態においては、単純撮影の撮影条件を操作者が入力するものとして説明するが、これに限定されるものではなく、上述したように操作者が入力した撮影部位等の情報に基づいて設定してもよい。また、検出器１４を移動せず、Ｘ線管１２のみを移動してトモシンセシス撮影を行うものとする。まず、制御部３４は操作者による操作部２４からの、実施する診断として単純撮影の登録および単純撮影の撮影条件の設定を受け付ける（ステップＳＴ１）、これにより制御部３４が、実施する診断として単純撮影を装置１０に登録するとともに、条件設定部２８が単純撮影の撮影条件を設定する（ステップＳＴ２）。そして、操作者による撮影開始指示がなされると（ステップＳＴ３肯定）、第１の画像取得部２０が単純撮影を行って、単純撮影画像を取得する（ステップＳＴ４）。なお、撮影後、条件設定部２８は単純撮影の撮影条件を記憶部２６に記憶する（ステップＳＴ５）。
【００５５】
次いで、制御部３４は、単純撮影画像を表示部２５に表示する（ステップＳＴ６）。図８は単純撮影画像の表示態様の例を示す図である。図８に示すように、制御部３４は、単純撮影画像Ｇ０およびトモシンセシス撮影を行うか否かを問い合わせるメッセージＭ０を含む確認画面５０を表示部２５に表示する。操作者は表示された単純撮影画像を観察して診断を行い、トモシンセシス撮影が必要か否かを判断し、トモシンセシス撮影を行うか否かを操作部２４を用いて、ＹＥＳまたはＮＯにより指示する。このため、制御部３４は、操作者による入力の指示を受け付け（ステップＳＴ７）、入力が診断の終了である場合、すなわち入力がＮＯである場合には処理を終了する。なお、確認画面５０に代えて、トモシンセシス撮影を実行させるための実行ボタン５２を含む確認画面５１を表示部２５に表示するようにしてもよい。この場合、操作者は、トモシンセシス撮影が必要な場合にのみ、実行ボタン５２を操作すればよい。
【００５６】
一方、入力がトモシンセシス撮影の実施である場合、すなわち入力がＹＥＳである場合、制御部３４は実施する診断としてトモシンセシス撮影の登録を行い（ステップＳＴ８）、体厚情報取得部２７が記憶部２６に記憶された単純撮影の撮影条件に基づいて、被写体２の体厚情報を取得する（ステップＳＴ９）。さらに条件設定部２８が、トモシンセシス撮影の撮影条件を設定するとともに、体厚情報に基づいて被写体２において断層画像を生成する対象となる範囲を表す断層画像取得条件を設定する（ステップＳＴ１０）。そして、操作者による撮影開始指示がなされると（ステップＳＴ１１肯定）、第２の画像取得部２１がトモシンセシス撮影を行って複数の撮影画像を取得する（ステップＳＴ１２）。この際、単純撮影時とトモシンセシス撮影時とにおいて、被写体が所定のしきい値を超えて移動したか否かが判定され、移動していない場合には、上述した所定線源位置Ｓｃにおける被写体２の撮影は行われないこととなる。そして、再構成部２２が断層画像取得条件により表される範囲の断層画像が得られるように複数の撮影画像を再構成して断層画像を生成し（ステップＳＴ１３）、制御部３４が断層画像を表示部２５に表示し（ステップＳＴ１４）、処理を終了する。なお、生成された断層画像は、不図示のＨＤＤ等の記憶装置に記憶されるか、またはネットワークを介してサーバ４０に送信される。
【００５７】
このように、第１の実施形態においては、被写体２の体厚情報を取得し、体厚情報に基づいて、被写体２において断層画像を生成する対象となる範囲、すなわち断層画像を再構成する再構成範囲および再構成範囲の中心面の位置を表す断層画像取得条件を設定するようにしたものである。このため、被写体２の体厚に応じて断層画像取得条件を効率よく設定でき、その結果、断層画像を効率よく取得することができる。
【００５８】
また、第１の実施形態においては、単純撮影後にトモシンセシス撮影を行うに際し、被写体２の体厚を単純撮影時の撮影条件に基づいて設定するようにもしたものである。ここで、単純撮影は、被写体の診断に必要なものであるため、トモシンセシス撮影の前に必ず行われるものである。したがって、第１の実施形態によれば、被写体へ余計な放射線を照射することなく、断層画像取得条件を設定することができる。
【００５９】
また、単純撮影後にトモシンセシス撮影を選択的に行わせるようにすることにより、単純撮影画像のみを用いて診断を行うことが可能である場合に、トモシンセシス撮影を行わないようにすることができ、これにより、被写体の被曝量を低減させることができる。
【００６０】
また、トモシンセシス撮影時における所定線源位置Ｓｃでの撮影をスキップし、単純撮影画像を所定線源位置Ｓｃでの撮影画像として使用することにより、トモシンセシス撮影を行う場合の所定線源位置Ｓｃにおける撮影を省略することができる。したがって、トモシンセシス撮影時における被写体の被曝量を低減することができる。
【００６１】
この場合、被写体２の移動を検出部８により検出し、単純撮影時とトモシンセシス撮影時において、被写体２が所定のしきい値を超えて移動した場合には、トモシンセシス撮影時において、Ｘ線管１２の所定線源位置Ｓｃでの撮影を実行するようにすることにより、所定線源位置Ｓｃでの撮影画像に含まれる被写体２と、他の線源位置の撮影画像に含まれる被写体２との位置ずれによって、断層画像の画質が低下してしまうことを防止できる。
【００６２】
なお、上記第１の実施形態においては、単純撮影画像の表示後、操作者の指示によりトモシンセシス撮影を行っているが、単純撮影画像の表示後、関心領域を設定した後にトモシンセシス撮影の指示を行うようにしてもよい。また、単純撮影画像の表示後、表示された単純撮影画像上に操作者が操作部２４を用いてトモシンセシス撮影を所望する領域を関心領域として設定したことを検出して、第２の画像取得部２１がトモシンセシス撮影を行うようにしてもよい。この場合、条件設定部２８は、操作者が単純撮影画像上に設定した関心領域に基づいてＸ線照射範囲を設定し、これに基づいて第２の画像取得部２１がトモシンセシス撮影を行う。
【００６３】
また、上記第１の実施形態においては、単純撮影を行う際に、条件設定部２８が、撮影対象の被写体２の被写体ＩＤについて、過去の診断で取得した単純撮影画像および断層画像がサーバ４０に保存されているか否かを判定し、この判定が肯定された場合に、被写体ＩＤと対応づけられた参照情報をサーバ４０から取得し、参照情報を用いて断層画像取得条件を設定するようにしてもよい。この場合、条件設定部２８は、現在の診断で取得した単純撮影を行った後、単純撮影画像および参照情報を用いて、過去の診断で取得した断層画像と同一範囲の断層画像が取得されるように、Ｘ線の照射範囲を設定する。具体的には、過去の診断で取得した単純画像および参照情報を用いて、過去の診断で取得した単純撮影画像におけるＸ線の照射範囲を特定し、その照射範囲と現在の診断で取得した単純撮影画像との相関を求めることにより、照射範囲に対応する領域を現在の診断で取得した単純撮影画像に設定する。そして、現在の診断で取得した単純撮影画像に設定された領域に対応する領域をＸ線の照射領域として設定する。なお、断層面の中心面の位置および再構成範囲については参照情報と同一となるように設定してもよく、現在の診断で取得した単純撮影画像を用いて上記第１の実施形態と同様に設定してもよい。
【００６４】
また、上記第１の実施形態においては、トモシンセシス撮影に先立って単純撮影を行い、単純撮影時の撮影条件を用いて体厚情報を取得して、断層画像取得条件を設定しているが、単純撮影を行うことなく、トモシンセシス撮影の撮影条件を決定するためのプレショット撮影を行い、プレショット撮影時の撮影条件を用いて被写体２の体厚情報を取得して、断層画像取得条件を設定するようにしてもよい。この場合、プレショット画像を断層画像の再構成に用いることにより、トモシンセシス撮影時において、プレショット撮影を行ったＸ線管１２の所定線源位置Ｓｃでの撮影を行う必要がなくなるため、トモシンセシス撮影時における被写体の被曝量を低減することができる。
【００６５】
次いで、本発明の第２の実施形態について説明する。図９は本発明の第２の実施形態による放射線撮影装置を適用したトモシンセシス撮影を行うためのＸ線撮影装置の概略図である。なお、第２の実施形態において第１の実施形態と同一の構成については同一の参照番号を付与し、ここでは詳細な説明は省略する。第２の実施形態によるＸ線撮影装置１０Ａは、体厚情報取得部２７Ａにおいて、トモシンセシス撮影により取得した複数の撮影画像を解析することにより被写体２の体厚情報を取得するようにした点が第１の実施形態と異なる。以下、第２の実施形態における体厚情報取得部２７Ａが行う処理について説明する。
【００６６】
まず、体厚情報取得部２７Ａは、トモシンセシス撮影により取得した複数の撮影画像を再構成して、検出器１４の検出面に直交する断層面の断層画像（以下直交断層画像とする）を生成する。例えば、図９に示すＸ線管１２の移動方向をｘ方向、図９の紙面に垂直な方向をｙ方向、図９の紙面における上下方向をｚ方向とした場合、図１０に示すように、検出器１４の検出面の重心上におけるｙｚ平面上の断層面の断層画像Ｔｘ、または図１１に示すように、検出器１４の検出面の重心上におけるｘｚ平面上の断層面の断層画像Ｔｙを直交断層画像として再構成する。なお、断層画像Ｔｘの各画素の画素値Ｔｘ（ｙ，ｚ）または断層画像Ｔｙの各画素の画素値Ｔｙ（ｘ，ｚ）は、各断層面上の点（ｘ，ｙ，ｚ）のｉ番目の撮影画像（ｉ＝１〜Ｎ）上への投影位置（ｔｉ，ｓｉ）の画素値Ｐ（ｔｉ，ｓｉ）を加算することにより取得することができる。具体的には、断層画像Ｔｘ上の画素値Ｔｘ（ｙ，ｚ）は下記の式（１）により算出できる。なお、直交断層画像の再構成は、再構成部２２が行うようにしてもよい。
【数１】
0005572040.tif 000002
【００６７】
次いで、体厚情報取得部２７Ａは、直交断層画像に含まれる被写体２の領域を特定する。例えば、Ｓｏｂｅｌフィルタ等のエッジ抽出フィルタを用いて直交断層画像に含まれるエッジを抽出し、エッジにより特定される構造物が存在する領域を被写体２の領域として特定する。なお、フィルタの出力値が大きい、骨部等の構造物の強いエッジのみを抽出し、強いエッジにより特定される被写体２内の骨部等の構造物が存在する領域を被写体２の領域として特定するようにしてもよい。そして体厚情報取得部２７Ａは、特定した領域におけるｚ方向の距離を被写体２の体厚情報として取得する。なお、第２の実施形態においては、条件設定部２８は、第１の実施形態と同様に、体厚情報に基づいて断層画像取得条件を設定する。
【００６８】
次いで、第２の実施形態において行われる処理について説明する。図１２は第２の実施形態において行われる処理を示すフローチャートである。なお、第２の実施形態においては、図７に示す第１の実施形態のフローチャートにおけるステップＳＴ８以降の処理のみが第１の実施形態と異なるため、ここでは、ステップＳＴ８以降の処理についてのみ説明する。
【００６９】
図７に示すフローチャートにおけるステップＳＴ７において入力がＹＥＳである場合、制御部３４は実施する診断としてトモシンセシス撮影の登録を行い（ステップＳＴ２１）、条件設定部２８が、トモシンセシス撮影の撮影条件を設定する（ステップＳＴ２２）。そして、操作者による撮影開始指示がなされると（ステップＳＴ２３肯定）、第２の画像取得部２１がトモシンセシス撮影を行って複数の撮影画像を取得する（ステップＳＴ２４）。この際、単純撮影時とトモシンセシス撮影時とにおいて、被写体が所定のしきい値を超えて移動したか否かが判定され、移動していない場合には、上述した所定線源位置Ｓｃにおける被写体２の撮影は行われないこととなる。
【００７０】
次いで、体厚情報取得部２７Ａが複数の撮影画像を解析することにより、被写体２の体厚情報を取得する（ステップＳＴ２５）。さらに条件設定部２８が、体厚情報に基づいて被写体２において断層画像を生成する対象となる範囲を表す断層画像取得条件を設定する（ステップＳＴ２６）。
【００７１】
そして、再構成部２２が断層画像取得条件により表される範囲の断層画像が得られるように複数の撮影画像を再構成して断層画像を生成し（ステップＳＴ２７）、制御部３４が断層画像を表示部２５に表示し（ステップＳＴ２８）、処理を終了する。なお、生成された断層画像は、不図示のＨＤＤ等の記憶装置に記憶されるか、またはネットワークを介してサーバ４０に送信される。
【００７２】
このように、第２の実施形態においても、体厚情報に基づいて断層画像取得条件を設定するようにしたため、被写体２の体厚に応じて断層画像取得条件を効率よく設定でき、その結果、断層画像を効率よく取得することができる。
【００７３】
次いで、本発明の第３の実施形態について説明する。図１３は本発明の第３の実施形態による放射線撮影装置を適用したトモシンセシス撮影を行うためのＸ線撮影装置の概略図である。なお、第３の実施形態において第１の実施形態と同一の構成については同一の参照番号を付与し、ここでは詳細な説明は省略する。第３の実施形態によるＸ線撮影装置１０Ｂは、体厚情報取得部２７Ｂにおいて、撮影台天板４付近に設置された赤外線センサまたは超音波センサ等のセンサ４２により、被写体２の体厚情報を取得するようにした点が第１の実施形態と異なる。なお、第３の実施形態においては、条件設定部２８は、第１の実施形態と同様に、体厚情報に基づいて断層画像取得条件を設定する。
【００７４】
次いで、第３の実施形態において行われる処理について説明する。図１４は第３の実施形態において行われる処理を示すフローチャートである。なお、第３の実施形態においては、図７に示す第１の実施形態のフローチャートにおけるステップＳＴ８以降の処理のみが第１の実施形態と異なるため、ここでは、ステップＳＴ８以降の処理についてのみ説明する。
【００７５】
図７に示すフローチャートにおけるステップＳＴ７において入力がＹＥＳである場合、制御部３４は実施する診断としてトモシンセシス撮影の登録を行い（ステップＳＴ３１）、体厚情報取得部２７Ｂがセンサ４２の出力に基づいて被写体２の体厚情報を取得する（ステップＳＴ３２）。さらに条件設定部２８が、トモシンセシス撮影の撮影条件を設定するとともに、体厚情報に基づいて被写体２において断層画像を生成する対象となる範囲を表す断層画像取得条件を設定する（ステップＳＴ３３）。そして、操作者による撮影開始指示がなされると（ステップＳＴ３４肯定）、第２の画像取得部２１がトモシンセシス撮影を行って複数の撮影画像を取得する（ステップＳＴ３５）。この際、単純撮影時とトモシンセシス撮影時とにおいて、被写体が所定のしきい値を超えて移動したか否かが判定され、移動していない場合には、上述した所定線源位置Ｓｃにおける被写体２の撮影は行われないこととなる。そして、再構成部２２が断層画像取得条件により表される範囲の断層画像が得られるように複数の撮影画像を再構成して断層画像を生成し（ステップＳＴ３６）、制御部３４が断層画像を表示部２５に表示し（ステップＳＴ３７）、処理を終了する。なお、生成された断層画像は、不図示のＨＤＤ等の記憶装置に記憶されるか、またはネットワークを介してサーバ４０に送信される。
【００７６】
このように、第３の実施形態においても、体厚情報に基づいて断層画像取得条件を設定するようにしたため、被写体２の体厚に応じて断層画像取得条件を効率よく設定でき、その結果、断層画像を効率よく取得することができる。
【００７７】
なお、上記第３の実施形態においては、超音波センサ等のセンサを用いるようにしたが、体厚を計測できるものであればこれに限らず如何なるものを用いてもよい。例えば、被写体２をカメラ等で撮影した画像に基づいて、被写体２の体厚情報を取得するようにしてもよい。
【００７８】
また、上記第１から第３の実施形態においては、Ｘ線管１２のみを移動させているが、Ｘ線管１２と検出器１４とを同期させて移動させる場合においても、本発明を適用できることはもちろんである。
【００７９】
また、上記第１から第３の実施形態においては、被写体２を臥位にて撮影台に載置してトモシンセシス撮影を行っているが、立位の撮影台を用いてトモシンセシス撮影を行う場合にも本願発明を適用できることはもちろんである。
【００８０】
また、上記第１から第３の実施形態においては、本発明による放射線撮影装置をトモシンセシス撮影を行うＸ線撮影装置に適用しているが、トモグラフィ撮影を行う撮影装置に適用してもよい。以下、これを第４の実施形態として説明する。
【００８１】
図１５は本発明の第４の実施形態による放射線撮影装置を適用したトモグラフィ撮影を行うためのＸ線撮影装置の概略図である。なお、第４の実施形態において第１の実施形態と同一の構成については同一の参照番号を付与し、ここでは詳細な説明は省略する。
【００８２】
ここで、トモシンセシス撮影は、Ｘ線管１２を移動させながら、複数の線源位置においてＸ線を被写体２に離散的に照射して複数の撮影画像を取得し、これら複数の撮影画像を再構成することにより断層画像を生成する。一方、第４の実施形態におけるＸ線撮影装置１０Ｃが行うトモグラフィ撮影は、Ｘ線管１２および検出器１４を、連動させて相対的に反対方向に移動させつつ、Ｘ線を被写体２に連続的に多重照射することにより断層画像生成部４８において断層画像を生成するものである。
【００８３】
なお、トモグラフィ撮影においては、１回の撮影により１つの断層画像が生成されるため、所望とする断層面の範囲において複数の断層面の断層画像を取得するには、撮影時のＸ線管１２および検出器１４の移動のさせ方を変更して複数回の撮影を行うこととなる。このため、第４の実施形態においては、体厚情報取得部２７Ｃにおいて、被写体２の体厚情報を取得し、条件設定部２８において、体厚情報に基づいて、所望とする断層面の範囲を断層画像取得条件として設定し、設定された断層画像取得条件に基づく断層面の範囲において複数の断層画像が取得されるようにトモグラフィ撮影を行うようにしたものである。
【００８４】
なお、第４の実施形態においては、第１の実施形態と同様にプレショット画像を用いて被写体２の体厚情報を取得すればよい。また、第３の実施形態と同様に、センサを用いて被写体２の体厚情報を取得してもよい。
【００８５】
このように、第４の実施形態においても、体厚情報に基づいて断層画像取得条件を設定することにより、被写体２の体厚に応じて断層画像取得条件を効率よく設定でき、その結果、トモグラフィ撮影を行う場合においても断層画像を効率よく取得することができる。
【符号の説明】
【００８６】
２    被写体
４    撮影台天板
６    コリメータ
１０，１０Ａ，１０Ｂ，１０Ｃ    Ｘ線撮影装置
１２    Ｘ線管
１４    検出器
１６，１８    移動機構
２０    第１の画像取得部
２１    第２の画像取得部
２２    再構成部
２４    操作部
２５    表示部
２６    記憶部
３７    体厚情報取得部
２８    条件設定部
３０    関心領域設定部
３２    通信インターフェース
３４    制御部
４０    サーバ
【図１】
0005572040.tif 000003
【図２】
0005572040.tif 000004
【図３】
0005572040.tif 000005
【図４】
0005572040.tif 000006
【図５】
0005572040.tif 000007
【図６】
0005572040.tif 000008
【図７】
0005572040.tif 000009
【図８】
0005572040.tif 000010
【図９】
0005572040.tif 000011
【図１０】
0005572040.tif 000012
【図１１】
0005572040.tif 000013
【図１２】
0005572040.tif 000014
【図１３】
0005572040.tif 000015
【図１４】
0005572040.tif 000016
【図１５】
0005572040.tif 000017